(57)【要約】【課題】筐体２の表面にスクリーンパネル４が設置されている表示機器において、工数を増大させることなくスクリーンパネル４に位置決めを施すことが出来、且つスクリーンパネル４に変形が生じ難い表示機器を提供する。【解決手段】本発明に係る表示機器においては、筐体２の表面にスクリーンパネル設置部が形成され、該スクリーンパネル設置部の外周部には、複数のリブ71、72、73が突設される一方、スクリーンパネル４の外周部には、複数のリブ71、72、73が嵌合する複数の切り欠き43、44、45が形成され、該複数の切り欠き43、44、45の内周面には、前記複数のリブ71、72、73の外周面に対向して、互いに直交する２軸方向のスクリーンパネル４の移動を規制し、且つスクリーンパネル４の２軸方向の膨張を許容する複数の壁面が形成されている。【選択図】図７
2012249036.tif 000002
【特許請求の範囲】
【請求項１】
ディスプレイを内蔵した筐体の表面に、ディスプレイの表面を覆ってスクリーンパネルが設置されている表示機器において、
筐体の表面にはスクリーンパネル設置部が形成され、該スクリーンパネル設置部の外周部及びスクリーンパネルの外周部の何れか一方の外周部には、複数の係合部が突設され、他方の外周部には、前記複数の係合部が嵌合する複数の係合受け部が形成され、該複数の係合受け部の内周面には、前記複数の係合部の外周面に対向して、スクリーンパネル設置部の表面に沿って互いに直交する２軸方向のスクリーンパネルの移動を規制し、且つスクリーンパネルの２軸方向の膨張を許容する複数の壁面が形成されていることを特徴とするスクリーンパネルを具えた表示機器。
【請求項２】
スクリーンパネルの周囲には、スクリーンパネルの膨張を許容する空間が設けられている請求項１に記載の表示機器。
【請求項３】
前記係合部はリブによって構成され、前記係合受け部は切り欠きによって構成される請求項１又は請求項２に記載の表示機器。
【請求項４】
前記リブ及び切り欠きの数はそれぞれ３つであって、スクリーンパネルは、その輪郭形状を規定する４辺を有し、スクリーンパネル設置部の外周部には、前記スクリーンパネルの４辺の内、３辺のそれぞれに対応して、スクリーンパネルの外周部に向かって前記３つのリブが突設される一方、スクリーンパネルの外周部には、スクリーンパネルの中央部に向かって前記３つの切り欠きが凹設されている請求項３に記載の表示機器。
【請求項５】
前記リブ及び切り欠きの数はそれぞれ４つであって、スクリーンパネルは、その輪郭形状を規定する４辺を有し、スクリーンパネル設置部の外周部には、前記スクリーンパネルの４辺のそれぞれに対応して、スクリーンパネルの外周部に向かって前記４つのリブが突設される一方、スクリーンパネルの外周部には、スクリーンパネルの中央部に向かって前記４つの切り欠きが凹設されている請求項３に記載の表示機器。
【請求項６】
各リブと各切り欠きとが互いに嵌合した状態で、嵌合方向のクリアランスが嵌合方向とは直交する方向のクリアランスよりも大きく設定されている請求項４又は請求項５に記載の表示機器。
【発明の詳細な説明】
【技術分野】
【０００１】
本発明は、携帯電話機などの小型の筐体を具えた表示機器に関し、特に筐体に内蔵されたディスプレイの表面を覆うスクリーンパネルの取り付け構造に関するものである。
【背景技術】
【０００２】
折り畳み式携帯電話機は、一対の筐体を互いに開閉可能に連結して構成されており、一方の筐体には画面が設けられて、画像表示が可能となっている(特許文献１)。
【０００３】
例えば図９に示す折り畳み式携帯電話機においては、第１筐体(９)と第２筐体(91)とがヒンジ部(92)を介して互いに開閉可能に連結されており、第２筐体(91)にはディスプレイ(94)が内蔵され、第２筐体(91)の背面には、ディスプレイ(94)の画面を露出させるための開口(93)が形成され、該開口(93)には透明板からなるスクリーンパネル(95)が設置されている。
【０００４】
ここで、スクリーンパネル(95)は第２筐体(91)の開口(93)に嵌合して、スクリーンパネル(95)の外周面が開口(93)の内周面により規制されることにより、スクリーンパネル(95)に位置決めが施される。
【０００５】
尚、第１筐体(９)や第２筐体(91)を形成する樹脂としては、出来るだけ吸水率が低く、吸水時の寸法変化が小さなポリアミド等を主成分とする樹脂が用いられ、スクリーンパネル(95)を形成する樹脂としては、透明度が高く、然も高い硬度を有するアクリル樹脂等が用いられる。
【先行技術文献】
【特許文献】
【０００６】
【特許文献１】特開２０１０−２６２５５号公報
【発明の概要】
【発明が解決しようとする課題】
【０００７】
しかしながら、図９に示す折り畳み式携帯電話機においては、第２筐体(91)を形成する樹脂は一般に吸水時の膨張率が低いのに対し、スクリーンパネル(95)を形成する樹脂は一般に吸水時の膨張率が高いため、第２筐体(91)に形成された開口(93)にスクリーンパネル(95)が嵌合した状態で、第２筐体(91)及びスクリーンパネル(95)が吸水した場合、第２筐体(91)よりもスクリーンパネル(95)の方が大きく膨張することによって、スクリーンパネル(95)の外周面が第２筐体(91)の開口(93)の内周面に対して突っ張ることとなり、この結果、スクリーンパネル(95)の中央部に膨らみや凹みが生じる問題があった。
【０００８】
この問題を解決するべく、第２筐体(91)の背面にスクリーンパネル(95)よりも大きな開口(93)を形成すると、スクリーンパネル(95)の周囲に大きな隙間が生じるため、スクリーンパネル(95)の固定時に位置決め治具が必要となり、工数が増加する問題がある。
【０００９】
そこで本発明は、スクリーンパネルを具えた表示機器において、組立時には、工数を増大させることなくスクリーンパネルに位置決めを施すことが出来、然も使用時には、吸水等によってもスクリーンパネルに変形が生じ難い表示機器を提供することである。
【課題を解決するための手段】
【００１０】
本発明に係るスクリーンパネルを具えた表示機器においては、ディスプレイ(６)を内蔵した筐体(２)の表面に、ディスプレイ(６)の画面を覆ってスクリーンパネル(４)が設置されている。
【００１１】
筐体(２)の表面にはスクリーンパネル設置部(７)が形成され、該スクリーンパネル設置部(７)の外周部には、複数のリブ(71)(72)(73)が突設される一方、スクリーンパネル(４)の外周部には、前記複数のリブ(71)(72)(73)が嵌合する複数の切り欠き(43)(44)(45)が形成され、該複数の切り欠き(43)(44)(45)の内周面には、前記複数のリブ(71)(72)(73)の外周面に対向して、スクリーンパネル設置部(７)の表面に沿って互いに直交する２軸方向のスクリーンパネル(４)の移動を規制し、且つスクリーンパネル(４)の２軸方向の膨張を許容する複数の壁面が形成されている。
【００１２】
上記本発明の表示機器によれば、筐体(２)のスクリーンパネル設置部(７)に突設された複数のリブ(71)(72)(73)が、スクリーンパネル(４)の複数の切り欠き(43)(44)(45)にそれぞれ嵌合することによって、スクリーンパネル(４)の２軸方向の移動が規制されるので、スクリーンパネル(４)の周囲にスクリーンパネル(４)の膨張を許容する充分な空間を設けたとしても、スクリーンパネル(４)はスクリーンパネル設置部(７)上に位置決めされることになる。
【００１３】
ここで、吸水によってスクリーンパネル(４)は膨張するが、前記嵌合状態においてもスクリーンパネル(４)の２軸方向の膨張は許容され、切り欠き(43)(44)(45)の内周面がリブ(71)(72)(73)の外周面に突っ張る虞はない。
【００１４】
具体的態様において、前記リブ(71)(72)(73)及び切り欠き(43)(44)(45)の数はそれぞれ３つであって、スクリーンパネル(４)は、その輪郭形状を規定する４辺を有し、スクリーンパネル設置部(７)の外周部には、前記スクリーンパネル(４)の４辺の内、３辺のそれぞれに対応して、スクリーンパネル(４)の外周部に向かって前記３つのリブ(71)(72)(73)が突設される一方、スクリーンパネル(４)の外周部には、スクリーンパネル(４)の中央部(41)に向かって前記３つの切り欠き(43)(44)(45)が凹設されている。
【００１５】
又、各リブ(71)と各切り欠き(43)とが互いに嵌合した状態で、嵌合方向のクリアランスが嵌合方向とは直交する方向のクリアランスよりも大きく設定されている。
【００１６】
上記具体的態様によれば、スクリーンパネル(４)の３つの切り欠き(43)(44)(45)がスクリーンパネル設置部(７)の３つのリブ(71)(72)(73)とそれぞれ嵌合した状態で、切り欠き(43)とリブ(71)の嵌合方向とは直交する方向の小さなクリアランスによって、スクリーンパネル(４)の２軸方向の移動が規制される。又、切り欠き(43)とリブ(71)の嵌合方向の大きなクリアランスによって、スクリーンパネル(４)の２軸方向の膨張が許容される。
【発明の効果】
【００１７】
本発明に係るスクリーンパネルを具えた表示機器によれば、組立時には、スクリーンパネル(４)の複数の切り欠き(43)(44)(45)とスクリーンパネル設置部(７)の複数のリブ(71)(72)(73)との間の嵌合によって、工数を増大させることなくスクリーンパネルに位置決めを施すことが出来、然も使用時には、吸水等によってもスクリーンパネルに変形が生じ難い。
【図面の簡単な説明】
【００１８】
【図１】図１は、本発明の一実施形態に係る折り畳み式携帯電話機の閉じた状態を示す斜視図である。
【図２】図２は、該折り畳み式携帯電話機の開いた状態を示す斜視図である。
【図３】図３は、第２筐体からスクリーンパネル及び外装パネルを分解した状態を示す斜視図である。
【図４】図４は、スクリーンパネルが設置された第２筐体の平面図である。
【図５】図５は、スクリーンパネルが取り外された第２筐体の平面図である。
【図６】図６は、スクリーンパネルの平面図である。
【図７】図７は、図５の要部を示す拡大平面図である。
【図８】図８は、１つのリブと１つの切り欠きの嵌合状態を示す拡大平面図である。
【図９】図９は、従来の折り畳み式携帯電話機において第２筐体からスクリーンパネルを分解した状態を示す斜視図である。
【発明を実施するための形態】
【００１９】
以下、本発明を折り畳み式携帯電話機に実施した形態につき、図面に沿って具体的に説明する。
本発明の一実施形態である折り畳み式携帯電話機は、図１及び図２に示す如く、第１筐体(１)と第２筐体(２)をヒンジ部(３)により互いに開閉可能に連結して構成され、第１筐体(１)の内面には複数の操作キー(11)が配備される一方、第２筐体(２)の内面と背面にはそれぞれメイン画面(21)とサブ画面(22)が配備されている。
【００２０】
第２筐体(２)には、前記サブ画面(22)を形成するべく、図３に示すディスプレイ(６)が内蔵されている。
第２筐体(２)は、ポリアミドを主成分とする樹脂からなるバックキャビネット(23)を具え、該バックキャビネット(23)の表面には、ディスプレイ(６)の画面を包囲して、スクリーンパネル設置部(７)が形成されている。
スクリーンパネル設置部(７)の中央部には、ディスプレイ(６)の画面を露出させるための中央開口(25)が形成されている。
【００２１】
又、バックキャビネット(23)の表面には、スクリーンパネル設置部(７)を含む領域に、開口凹部(24)が形成されている。
スクリーンパネル設置部(７)の表面は、開口凹部(24)の底面と同一平面上に、若しくは開口凹部(24)の底面よりも僅かに高く形成されている。
そして、スクリーンパネル設置部(７)にはスクリーンパネル(４)が接着固定され、開口凹部(24)には外装パネル(５)が係止される。
【００２２】
スクリーンパネル(４)は、アクリル樹脂製であって、図６に示す如く厚肉の中央部(41)の周囲に薄肉の外周部(42)を具え、略四角形の輪郭形状を有している。
スクリーンパネル(４)の外周部(42)には、前記略四角形の輪郭形状を規定する４辺の内、３辺に、第１切り欠き(43)、第２切り欠き(44)及び第３切り欠き(45)が、それぞれ外周縁から中央部(41)に向かって凹設されている。
【００２３】
一方、スクリーンパネル設置部(７)には、前記スクリーンパネル(４)の第１切り欠き(43)、第２切り欠き(44)及び第３切り欠き(45)に対応させて、図５に示す如く第１リブ(71)、第２リブ(72)及び第３リブ(73)が、中央開口(25)に向かって突設されている。
【００２４】
図４の如く第２筐体(２)のバックキャビネット(23)にスクリーンパネル(４)を設置した状態で、スクリーンパネル(４)の周囲には、スクリーンパネル(４)の外周面に近接位置で対向する壁面は存在しない。
【００２５】
ここで、図７に示す様に、スクリーンパネル(４)の第１切り欠き(43)にスクリーンパネル設置部(７)の第１リブ(71)が図中のＹ軸方向に嵌合し、第２切り欠き(44)に第２リブ(72)が図中のＸ軸方向に嵌合し、第３切り欠き(45)に第３リブ(73)が図中のＸ軸方向に嵌合する。
【００２６】
例えば第３切り欠き(45)と第３リブ(73)の嵌合状態においては、図８に示す如く、第３切り欠き(45)の奥壁ｆと第３リブ(73)の先端面ｃとが互いに対向して嵌合方向のクリアランスＡが形成されると共に、第３切り欠き(45)の両側壁ｄ、ｅと第３リブ(73)の両側壁ａ、ｂとが互いに対向して嵌合方向とは直交する方向のクリアランスＢ、Ｂが形成される。
クリアランスＡは例えば約１ｍｍに設定され、クリアランスＢは例えば０〜０.０７５ｍｍに設定される。
第１切り欠き(43)と第１リブ(71)の嵌合状態や、第２切り欠き(44)と第２リブ(72)の嵌合状態も、第３切り欠き(45)と第３リブ(73)の嵌合状態と同一である。
【００２７】
上記折り畳み式携帯電話機においては、図７に示すＸ軸方向のスクリーンパネル(４)の移動は、第１リブ(71)と第１切り欠き(43)の嵌合によって規定される。即ち、第１リブ(71)の両側壁ａ、ｂと第１切り欠き(43)の両側壁ｄ、ｅとが小さなクリアランスＢ、Ｂで互いに対向しているので、該クリアランスを上回るＸ軸方向の位置ずれは生じない。
【００２８】
又、図７に示すＹ軸方向のスクリーンパネル(４)の移動は、第２リブ(72)と第２切り欠き(44)の嵌合によって規定されると共に、第３リブ(73)と第３切り欠き(45)の嵌合によって規制される。即ち、第２リブ(72)の両側壁ａ、ｂと第２切り欠き(44)の両側壁ｄ、ｅとが小さなクリアランスＢ、Ｂで互いに対向すると共に、第３リブ(73)の両側壁ａ、ｂと第３切り欠き(45)の両側壁ｄ、ｅとが小さなクリアランスＢで互いに対向するので、該クリアランスを上回るＹ軸方向の位置ずれは生じない。
【００２９】
更に又、３箇所における小さなクリアランスＢによる嵌合によって、スクリーンパネル(４)の回転に規制が加えられる。
【００３０】
この様にして、スクリーンパネル(４)は、スクリーンパネル設置部(７)上に正確に位置決めされることになる。
従って、スクリーンパネル(４)を位置決めするための特別な治具は不要であり、少ない工数でスクリーンパネル(４)の設置が可能である。
【００３１】
又、上記折り畳み式携帯電話機においては、スクリーンパネル(４)の吸水時の膨張率が第２筐体(２)のバックキャビネット(23)の吸水時の膨張率よりも大きいため、スクリーンパネル(４)には吸水によって大きな膨張が生じることになるが、図７のＸ軸方向の膨張は、第１切り欠き(43)を基準として左右に生じるため、第１リブ(71)と第１切り欠き(43)の嵌合によって規制されることはない。そして、第３リブ(73)と第２切り欠き(44)の間、並びに第３リブ(73)と第３切り欠き(45)の間にはそれぞれ、Ｘ軸方向に大きなクリアランスＡが設定されているので、該クリアランスによってＸ軸方向の膨張は吸収される。
【００３２】
図７のＹ軸方向の膨張は、第２リブ(72)及び第３リブ(73)を基準として上下に生じるため、第２リブ(72)と第２切り欠き(44)の嵌合や、第３リブ(73)と第３切り欠き(45)の嵌合によって規制されることはない。そして、第１リブ(71)と第１切り欠き(43)の間には、Ｙ軸方向に大きなクリアランスＡが設定されているので、該クリアランスによってＹ軸方向の膨張は吸収される。
【００３３】
従って、スクリーンパネル(４)は、吸水時には自由に四方へ膨張し、外周面が周囲の壁面に突っ張ることによる変形が生じることはない。
【００３４】
尚、本発明の各部構成は上記実施の形態に限らず、特許請求の範囲に記載の技術的範囲内で種々の変形が可能である。例えば、リブと切り欠きの嵌合は、３箇所に限らず、スクリーンパネル(４)の輪郭形状を規定する４辺に対応させて、４箇所に設けることも可能である。又、本発明は、折り畳み式携帯電話機に限らず、単一の筐体からなる携帯電話機等、スクリーンパネルを具えた種々の表示機器に実施することが出来る。
【符号の説明】
【００３５】
(１)  第１筐体
(２)  第２筐体
(23)  バックキャビネット
(４)  スクリーンパネル
(41)  中央部
(42)  外周部
(43)  第１切り欠き
(44)  第２切り欠き
(45)  第３切り欠き
(７)  スクリーンパネル設置部
(71)  第１リブ
(72)  第２リブ
(73)  第３リブ
【図１】
2012249036.tif 000003
【図２】
2012249036.tif 000004
【図３】
2012249036.tif 000005
【図４】
2012249036.tif 000006
【図５】
2012249036.tif 000007
【図６】
2012249036.tif 000008
【図７】
2012249036.tif 000009
【図８】
2012249036.tif 000010
【図９】
2012249036.tif 000011